(57)【要約】【課題】音声を録音する録音装置において、録音の開始操作及び停止操作の際に生じる操作ノイズは録音対象の音声と共に録音されるが、その録音を再生した音声にはそれらの操作ノイズが含まれず、且つ、装置の構成が簡便でコスト高とならず、且つ、録音対象の音声の指向性に左右されないことを目的とする。【解決手段】 マイクロホン２からの音声は音声データに変換され、アンプ３、Ａ／Ｄ変換器４、ＤＳＰ５を介してバッファメモリ７に送られ保持されるが、制御手段６はバッファメモリの７に保持されている音声データのうち、音声データの頭部から設定した長さの３００ミリ秒の間に対応する音声データ及び音声データの尾部から設定した長さの３００ミリ秒だけ遡った間に対応する音声データを除いた分のみを記録媒体１３に記録するように制御する構成にした。【選択図】  図２
2007322899.tif 000002
【特許請求の範囲】
【請求項１】
マイクロホンが入力されて来る音声を電気信号に変換し、その変換されて得られる電気信号を記録手段が音声データとして記録媒体に記録する記録装置において、
ユーザーが記録の開始操作及び記録の停止操作を行う際、それらの操作によって生じる操作ノイズが、録音目的の音声と共に上記マイクロホンに入力されて音声データとなって記録されることを避けるように、上記マイクロホンによって拾われて信号化されて得られる音声データのうち、記録の開始操作時から設定した長さの時間の間に対応する音声データ及び記録の停止操作時から設定した長さの時間だけ遡った間に対応する音声データを除いて記録するように構成されたことを特徴とする録音装置。
【請求項２】
マイクロホンから入力される音声が音声データに変換され、その音声データを一時的に保持して記録媒体に出力するバッファメモリが備えられ、そのバッファメモリは送られて来る音声データのうちで記録媒体への録音対象の音声データと録音対象から取り除くべき音声データをそれぞれ異なる領域に一時保持するように構成されてなる請求項１に記載の録音装置。
【発明の詳細な説明】
【技術分野】
【０００１】
この発明は、マイクホンがインタビューや音楽演奏の音声を入力するとその音声を電気信号に変換し、その音声に係る電気信号を適当なレベルに増幅した後に記録媒体に音声データとして録音する録音装置に関する。
録音装置は、録音を開始する際に録音ボタンを、録音を一時的に停止する際に一時停止ボタンを、録音を終了する際に停止ボタンをそれぞれ押して対応する操作を行うが、このボタン操作を行う際に装置内に機械的な操作ノイズが発生する。
【０００２】
尚、これらの操作ノイズは、録音ボタンを押した直後においてその録音ボタンにまだ触れている状態で録音がスタートすることにより、終了ボタンを押してから録音が終了するまでの間に録音が継続されていて、結果的に、ユーザーが意図した録音期間に対して異なる録音期間が生じることに起因している。
そして、ユーザーの意図に依らず、マイクロホンは上記の操作ノイズを拾い、更に、録音手段が本来の目的とした音声に加えて、不要でユーザーの意図に反する上記の操作ノイズをも録音することになるから、その再生を行うと不要でユーザーの意図に反する操作ノイズをも再生されるという問題が生じる。
【０００３】
又、録音後に操作ノイズの部分をカットする編集を行って操作ノイズを除去することも可能であるが、操作ノイズをカットする分を編集作業が煩雑になるという問題が生じる。
尚、録音開始時、録音中断及び録音終了の際に内部マイクや外部マイクが操作ノイズを拾わないようにするために、操作ノイズの少ないスイッチを使用することが考えられる。
【０００４】
しかし、フェザータッチスイッチという言葉で象徴される操作ノイズの少ないスイッチは操作した際にそのスイッチで操作が行われたのか否かを感覚的に認識し難く、又、使用に熟練を要するという問題が生じる。
この発明は、録音装置を用いて録音等を行う際に、録音を開始すること、録音を一時停止すること及び録音を終了することによって生じる操作ノイズを目的の音声に含めて録音させることがなく、結果的に、ユーザーの意図に沿った音声のみを録音する録音装置に関する。
【背景技術】
【０００５】
録音等を行う際に、録音を開始すること、録音を一時停止すること及び録音を終了することによって生じる操作ノイズを目的とする音声に含めて録音させることのない録音装置として、以下の文献が知られている。
【０００６】
【特許文献１】特開平９−２４７５１０号公報
【発明の開示】
【発明が解決しようとする課題】
【０００７】
特開平９−２４７５１０号公報で開示されている録音マイクシステム（以下、「先行発明」と称する。）は、装置内に複数のステレオマイクを配設し、装置本体の外側に超指向性マイクを取り付け、それら二つの種類のマイクからの信号を増幅処理するマイクアンプを備え、可聴周波数のほぼ全域で指向特性を有する構成としたことによって、操作ノイズのピックアップを抑えている。
しかしながら、先行発明は、複数のステレオマイク、超指向性マイク及びマイクアンプを備える必要があり、部品点数が多く装置そのものが大掛かりであって結果的にコストが高くなり、又、録音対象音声に指向性を持つといった問題があった。
【０００８】
この発明は、上記の事情に鑑みてなされたものであり、録音の開始、録音の一時停止及び録音の停止の際に生じる操作ノイズが録音されず、操作が確実であって簡便に行うことができ、更に、部品点数を少なく抑えることが可能で、装置全体が大掛かりとなることのない録音装置を提供するものである。
【課題を解決するための手段】
【０００９】
この発明は、記録開始及び記録停止によって生じる操作ノイズを録音対象から除去するように構成した録音装置である。
その詳細な構成は、マイクロホンが入力されて来る音声を電気信号に変換し、その変換されて得られる電気信号を記録手段が音声データとして記録媒体に記録する記録装置において、
ユーザーが記録の開始操作及び記録の停止操作を行う際、それらの操作によって生じる操作ノイズが、録音目的の音声と共に上記マイクロホンに入力されて音声データとなって記録されることを避けるように、上記マイクロホンによって拾われて信号化されて得られる音声データのうち、記録の開始操作時から設定した長さの時間の間に対応する音声データ及び記録の停止操作時から設定した長さの時間だけ遡った間に対応する音声データを除いて記録するように構成されたことを特徴とする録音装置である。
【００１０】
記録開始及び記録停止によって生じる操作ノイズを録音対象から除去する具体的な方法として、記録媒体の前段にバッファメモリを配置し、そのバッファメモリから記録媒体に音声データを記録する際に除去する方法が挙げられる。
他に、音声データの頭部のみについて言えば、記録開始時にマイクロホン又はＤＳＰが音声データの頭部をキャンセルする方法が挙げられる。
【発明の効果】
【００１１】
この発明は、録音開始及び録音停止の操作を行う際に生じる操作ノイズを除いたデータについてのみ録音を行う構成であることにより、斯かる構成で録音された記録媒体を再生すると、ユーザーの録音の開始操作ノイズ及び停止操作ノイズが含まれることのない再生音を得ることが可能であって、しかも、構成が簡便であることから製造コストを低く抑えることが可能であって録音対象音声の指向性に左右されることのない録音装置である。
【発明を実施するための最良の形態】
【００１２】
この発明を、以下において図面に示す最良の形態に基づき詳述する。しかし、この形態によって、この発明が限定されるものではない。
録音装置１は、マイクロホン２と、アンプ３と、Ａ／Ｄ変換器４と、録音手段であるデジタル信号プロセッサ５（以下、「ＤＳＰ５」と称する。）と、制御手段６と、バッファメモリ７と、Ｄ／Ａ変換器８と、アンプ９と、スピーカ１０と、操作部１１及び表示部１２が備えられている。
尚、１３は、記録媒体であって、具体的には半導体メモリである。
【００１３】
又、Ａ／Ｄ変換器４及びＤ／Ａ変換器８とＤＳＰ５の間にはデジタルのデータ信号を送るためのバス１４が、ＤＳＰ５と制御手段６の間にはデジタルのデータ信号を送るためのバス１５が、ＤＳＰ５とバッファメモリ７の間にはデジタルのデータ信号を送るためのバス１６、バッファメモリ７と記録媒体１３の間にはデジタルのデータ信号を送るためのバス１７が、それぞれ介在されている。
マイクロホン２は、入力されて来る音声をアナログの電気信号（音声データ）に変換して後段に出力するものである。
【００１４】
アンプ３は、マイクロホン２の後段に接続され、マイクロホン２から受け取った音声データのレベルを録音し易い所望の大きさに加工するものである。
Ａ／Ｄ変換器４は、アンプ３の後段に接続され、所望のレベルに加工されたアナログの音声データが入力されると、デジタルの音声データに変換して後段に出力するものである。
【００１５】
ＤＳＰ５は、制御手段６からの制御信号に基づいて、Ａ／Ｄ変換器４からのデジタルの音声データを受取った際に、その音声データを記録媒体１３に録音する手段として機能するものである。
【００１６】
又、ＤＳＰ５は、制御手段６からの制御信号に基づいて、記録媒体１３に記録されているデジタルの音声データを再生してＤ／Ａ変換器８に送るように当該音声データを再生する手段として機能するものである。
つまり、ＤＳＰ５は、録音手段であり、且つ、再生手段である。
【００１７】
制御手段６は、操作部１１から録音の開始・停止、再生の開始・停止等の制御信号やデータ信号を受ける入力部１８と、録音の開始操作及び録音の停止操作によってそれぞれ生じる操作ノイズをキャンセルする時間Ｔ（設定可能で、例えば３００ミリ秒）等を記憶する不揮発性のメモリ１９と、入力部１８からの操作信号の内容に対応して判断・演算を行って制御信号を生成する演算・制御部２０と、演算部２０で生成された制御信号をＤＳＰ５及び表示部１２に出力するための出力部２１が備えられている。
【００１８】
尚、メモリ１９に記憶されている時間Ｔは、操作部１１からの操作によって変更することが可能になっている。
つまり、録音の開始・停止の操作、再生の開始・停止等の操作はユーザーによって緩急の個人差があり、その緩急の個人差のある操作によって操作に要する時間にばらつきが生じる。従って、操作による操作ノイズの生じる時間も、個人差によってばらつきがあって一定ではない。
【００１９】
又、操作ノイズは、多くの場合、付勢力に抗して操作スイッチを押圧することによって生じる操作摩擦であるが、使用に伴って前記付勢力は低下して操作摩擦の大きさが変化して、結果的に、操作ノイズの生じる時間が変化する場合も生じる。
斯かる事情によって、操作ノイズの時間が一定ではない或いは変化するということに対して、操作部１１からメモリ１９に操作ノイズのキャンセル時間Ｔを任意にすることが可能である。
【００２０】
演算部２０は、具体的に、上述のメモリ１９へのキャンセル時間Ｔの設定、ＤＳＰ５の出力の指示、メモリ１９にキャンセル時間Ｔが記憶されている場合には、マイクロホン２からの音声データのうち録音開始の頭部からキャンセル時間Ｔを除いた時点からの音声データをバッファメモリ７から記録媒体１３に送り、且つ、録音が停止されると音声データの微部からキャンセル時間Ｔだけ遡った時点の音声データまででバッファメモリ７から記録媒体１３に送るのを終了する指示、装置の各部の現状を示すデータの表示部１２へのデータの作成等を行う。
【００２１】
バッファメモリ７は、実質的にＤＳＰ５と記録媒体１３の間に介在され、バス１６を介してのＤＳＰ５からの音声データを一時的に記憶するものである。
そして、バッファメモリ７は、ＤＳＰ５からの音声データを一時的に保持しながら、記録媒体１３への音声データの流れに緩衝機能を奏するものである。
【００２２】
加えて、バッファメモリ７は、上述したように、制御手段６から操作ノイズに係る音声データを削除する旨の制御を受けると、マイクロホン２の側から入力されて来る音声データのうち、録音開始の頭部からキャンセル時間Ｔの分及び録音停止の尾部から遡ったキャンセル時間Ｔの分に対応する両音声データを除いた残りの部分のみを記録媒体１３に送り、前記録音開始の頭部からキャンセル時間Ｔまでの対応する音声データ及び録音停止の尾部から遡ったキャンセル時間Ｔ以降に対応する音声データを廃棄するように機能するものである。
尚、録音開始からキャンセル時間Ｔの間及び録音停止の尾部から遡ったキャンセル時間Ｔの間に対応してマイクロホン２によって拾われた音声に係る音声データは、音声データファイルの一部として管理され、且つ、ファイルの個々のデータにはアドレスが付されている。
【００２３】
そして、キャンセル時間Ｔに対応するアドレスを特定することによって、キャンセル時間に対応する音声データの選択と廃棄が行われる構成になっている。
又、録音装置１では、バッファメモリ７は、入力されて来る音声データのうち、録音対象のデータと録音対象から取り除くべきデータをそれぞれ異なる領域に一時保持するように構成されている。
【００２４】
斯かる構成によって、 操作ノイズが含まれている音声データと操作ノイズが含まれていない音声データをバッファメモリ７で分離されることになり、操作ノイズを含んでいない真に録音すべき音声データのみが実質的に記録媒体１３に送られることになる。
尚、録音装置１における操作ノイズは、具体的に、操作部１１の録音レバー及び停止レバー（共に、図示省略）をスライド操作する際に、そのスライドに伴って生じる摩擦音、前記録音レバー及び停止レバーを元の位置に戻すための付勢力を与えるバネ（図示省略）の作用の音等が挙げられる。
【００２５】
ＤＳＰ５は、同様に、制御手段６からの制御信号に基づいて、データ再生手段として機能し、記録媒体１３に録音されているデジタルの音声データをバス１４を介して再生してＤ／Ａ変換器８に送るように機能するものである。
Ｄ／Ａ変換器８は、記録媒体１３からバッファメモリ７，ＤＳＰ５及びバス１４を介して入力されるデジタルの音声信号をアナログの音声信号に変換して、アンプ９に送るものである。
【００２６】
アンプ９は、Ｄ／Ａ変換器８からのアナログの音声データを受け取ると、その音声データを所望のボリュームの大きさに加工してスピーカ１０に出力するものである。
スピーカ１０は、アンプ９からの音声データを受け取ると、音声に変換して出力するものである。
【００２７】
表示部１２は、録音装置１の録音機能及び再生機能のその時点での機能状態、例えば、録音、再生、一時停止の状態にある旨及びその経過時間、録音及び再生時の信号レベルの大きさ、電源電池の残量等を表示するものである。
【００２８】
録音装置１は、上述したように構成されている。以下において、ＳＬ列車の通過音を録音する場合の機能を説明する。
ユーザーはまず初めに、録音装置１の装置本体（図示省略）の内部の所定位置に記録媒体１３をセットしてバス１７に接続する。
ここで、録音装置１は、図１に示すように、記録媒体１３が装着された状態になる。
【００２９】
ここで、ユーザーは操作部１１を操作してメイン電源をＯＮにする。このメイン電源のＯＮによって表示部１２の表示面（図示省略）はスタート画面に変わる。
次に、ユーザーは、ＳＬ列車が近付いて来る方角にマイクロホン２を向け、次に、ＳＬ列車の発する音声を録音したいと思う程にＳＬ列車が近付いて来るまで録音を待ち構える。
【００３０】
ＳＬ列車はその特有の音声を発しながらユーザーの側に近付いて来るが、ユーザーはＳＬ列車からの音声を録音したいと思うほぼ一秒前に操作部１１を操作して録音を開始させる。つまり、具体的には、操作部１１の前記録音レバーを録音状態となるようにスライドさせてＯＮする。
ここで、マイクロホン２はＳＬ列車の発する音声と装置本体の回りの音声を拾って、アナログの音声データに変換してアンプ３に送る。
【００３１】
この時、図２の上段の音声データに示すように、マイクロホン２が拾う装置本体の回りの音声の中に、操作部１１の前記停止レバーのスライド操作によって発する音声（操作ノイズ）と前記録音レバーのスライド操作に抗する付勢用の前記バネの作用音が含まれている。
アンプ３は、マイクロホン２からアナログの音声データを受け取るとそのレベルを録音し易い所望の大きさに加工してＡ／Ｄ変換器４に送る。
【００３２】
Ａ／Ｄ変換器４は、アンプ３からの所望のレベルに加工されたアナログの音声データを入力すると、デジタルの音声データに変換し、バス１４を介してＤＳＰ５に送る。
ＤＳＰ５は、バス１４を介しての音声データを受け取ると共に、記録媒体１３にマイクロホン２からの音声を録音するようにとの制御手段６からの制御信号に基づいて録音手段として機能する。
【００３３】
つまり、ＤＳＰ５は、制御手段６からの録音を開始する旨の制御信号を受けて、バス１６を介してバッファメモリ７にバス１４からの音声データを送る。
バッファメモリ７は、ＤＳＰ５から音声データを受け取ると、一時的に保持して記録媒体１３への当該音声データの流れに緩衝機能を奏する。
【００３４】
更に、バッファメモリ７は、制御手段６から操作ノイズに係る音声データを削除する旨の制御を受けているので、入力されて来る音声データのうちで録音開始の頭部からキャンセル時間Ｔ（予め設定した３００ミリ秒）の分に対応する音声データを除いて記録媒体１３に送り、その除いた録音頭部からキャンセル時間の３００ミリ秒までの対応する音声データを廃棄するように機能する（図２の中断に示す音声データを参照。）。
尚、バッファメモリ７は、録音開始からキャンセル時間の３００ミリ秒の間の音声に係る音声データを、アドレス付きのファイルとして管理していて、その対応するアドレスに基づいて音声データの選択と廃棄を行っている。
【００３５】
又、バッファメモリ７は、ＤＳＰ５からの入力の音声データのうち、録音対象のデータと操作ノイズを含む録音対象から取り除くべきデータをそれぞれ異なる領域に一時保持している。
斯かる構成によって、バッファメモリ７は、入力の音声データを操作ノイズの含む音声データと操作ノイズの含まない音声データに分離し、操作ノイズの含まない真に録音すべき音声データのみを実質的に記録媒体１３に送る。
【００３６】
ここで、記録媒体１３は、頭部からキャンセル時間の３００ミリ秒の間に対応する音声データを含まない音声データをバッファメモリ７から受け取って記録する。
尚、この時、表示部１２は、録音装置１が録音機能を奏している旨を表示する。
【００３７】
ＳＬ列車がユーザーの位置に近付き、更に、ユーザーの傍らを通り過ぎ、その後、遠くに走り去ったので、ユーザーはＳＬ列車から発する音声の録音を停止するように操作部１１から制御手段６に録音停止の命令信号を送る。
ここで、制御手段６は、ＤＳＰ５に録音停止の命令信号を送る。ＤＳＰ５は、制御手段６からの録音停止の命令信号を受けると、バス１４からの音声データをバス１６を介してバッファメモリ７に送ることを停止する。
【００３８】
ＤＳＰ５は、更に、バッファメモリ７にバス１４からの音声データを送る。
バッファメモリ７は、制御手段６からの録音停止の命令信号に伴って、操作ノイズに係る音声データを削除する旨の制御を受ける。
バッファメモリ７は、入力された音声データのうちで録音停止の尾部からキャンセル時間Ｔ（予め設定した３００ミリ秒）を遡った分に対応する音声データを除いて記録媒体１３に送り、その除いた録音尾部からキャンセル時間の３００ミリ秒だけ遡った対応する音声データを廃棄するように機能する。
【００３９】
この時、バッファメモリ７は、ＤＳＰ５から音声データを受け取って一時的に保持してから記録媒体１３に記録するので音声データの入力と記録にタイムラグが生じており、録音停止の尾部からキャンセル時間の３００ミリ秒を遡った分に対応する音声データを除いた分の音声データを記録媒体１３に記録することが可能になっている。
尚、バッファメモリ７は、録音停止からキャンセル時間の３００ミリ秒の分を遡った間の音声に係る音声データを、アドレス付きのファイルとして管理していて、その対応するアドレスに基づいて音声データの選択と廃棄を行っている。
【００４０】
又、バッファメモリ７は、ＤＳＰ５からの入力の音声データのうち、録音対象のデータと操作ノイズを含む録音対象から取り除くべきデータをそれぞれ異なる領域に一時保持している。
この構成によって、バッファメモリ７は、入力の音声データを操作ノイズの含む音声データと操作ノイズの含まない音声データに分離し、操作ノイズの含まない真に録音すべき音声データのみが実質的に記録媒体１３に送る。
【００４１】
ここで、記録媒体１３は、録音停止の尾部からキャンセル時間の３００ミリ秒だけ遡った間に対応する音声データを含まない音声データをバッファメモリ７から受け取って記録を停止する。
従って、マイクロホン２は録音の開始と停止の際に頭部と尾部に操作ノイズを含んだ音声データを録音手段であるＤＳＰ５の側に送るが、記録媒体１３にはその操作ノイズが含まれていると考える頭部と尾部の３００ミリ秒を削除した音声データが記録されている。
つまり、記録媒体１３は、操作ノイズを含んでいない真に録音すべき音声データのみを実質的に記録している。
【００４２】
ユーザーがこのＳＬ列車からの音声の録音の後にその録音内容を再生する場合を、以下に説明する。
ユーザーは、操作部１１を操作して、上述のＳＬ列車から発する音声の録音内容を再生するように操作を行う。
ここで、操作部１１から再生に係る命令信号が制御手段６に送られる。
【００４３】
制御手段６では、操作部１１からの再生の命令信号は入力部１８を介して演算部２０に到ると、演算部２０は命令信号の内容（操作内容）に対応する制御信号を構成して出力部２１に送る。
ここで、制御手段６は、ＤＳＰ５に記録媒体の１３の音声データの再生の命令信号と、表示部１２に斯かる再生に対応する表示を行わせるドライブ信号を出力する。
【００４４】
ＤＳＰ５は、制御手段６からの再生用の命令信号（制御信号）を受けて、バッファメモリ７を介して記録媒体１３から上記ＳＬ列車の発する音声に係るデジタルの音声データを呼び出し、Ｄ／Ａ変換器８に送る。
Ｄ／Ａ変換器８は、そのデジタルの音声データをアナログの音声データに変換してアンプ９に送る。
【００４５】
アンプ９は、そのアナログの音声データを所望のレベルに増幅した後、スピーカ１０に送る。    
スピーカ１０は、アンプからの音声データに係る電気信号を音声に変換して、音声出力を行う。
【００４６】
ここで、図２の下段に示す音声データに対応して、スピーカ１０から出力される音声は記録媒体１３に記録されている内容に全く対応しているから、記録媒体１３に記録されているＳＬ列車から発する音声に係る音声データは操作ノイズを含んでいないので、スピーカ１０から出力される音声に操作ノイズが含まれることがない。
従って、例えば、再生した際に再生音声の頭部と尾部においてノイズと受け取れる音声があった場合に、そのノイズが操作ノイズであるかＳＬ列車から発する音声の一部であるかといった疑問に対して、操作ノイズは録音されていないから再生されることがなく、そのノイズと受け取れる音声はＳＬ列車が発する音声の一部である受け取ることができる。
つまり、録音装置１では、真に録音したいと考えた音声だけが録音されるので、操作ノイズの再生を考慮する必要がない。
【００４７】
尚、バッファメモリ７が記録媒体１３の動作タイミングに合わせて記録媒体１３に音声データを送っているが、待ち時間がなく音声データがＤＳＰ１５から入力してそのまま記録媒体１３に送られた場合、バッファメモリ７に尾部部分の音声データさえも残っていないケースが考えられる。
このようなバッファメモリ７に音声データが全く残っていない状態では、録音停止の操作を行うとその時点で音声データの尾部部分であってキャンセル時間Tに相当する操作ノイズの入った音声データがそのまま、記録媒体１３に書き込まれることになる。
【００４８】
そして、このことに対して、この操作ノイズを含む部分音声データを取り除くことを考えると、一度書き込まれた部分データを廃棄するためには記録媒体内のデータの書き換えが必要になり、煩雑な処理を行うという問題が生じることになる。
しかしながら、録音装置１では、図３に示すように、斯かる問題を回避するように、キャンセル時間Tに対応するデータが常にバッファメモリ７に残っているように、バッファメモリ７の読み出しアドレスをキャンセル時間Tに相当するデータだけシフトして読み出すように構成されている。
【００４９】
つまり、図３の上段に、マイクロホン２がアンプ３に送る音声データ（音声に係る電気信号）の末尾部分を示しているが、尾部には録音停止の操作による操作ノイズを含んだ音声データが生じる。
ここで、バッファメモリ７にバッファがある場合の録音における停止操作では、図３の中段に示すように、バッファメモリ７は録音停止の操作による操作ノイズを除去した音声データを記録媒体１３に送って、クローズ処理となる。
【００５０】
他方、バッファメモリ７から実質的に全ての音声データが記録媒体１３に送られて、バッファメモリ７にバッファがない場合の録音における停止操作では、図３の下段に示すように、そのままでは録音停止の操作による操作ノイズが記録媒体１３に記録されることになるので、バッファメモリ７の読み出しアドレスをキャンセル時間Tに相当するデータのシフト分だけ消去して、クローズ処理となる。
【００５１】
録音装置１は、斯かる構成により、バッファメモリ７の中の音声データが待ち時間を必要とせずに記録媒体１３に送られる状態の際に録音停止の操作を行っても、バッファメモリ７には常にキャンセル時間Tに対応する音声データがまだ残っているので、録音停止に係る操作ノイズのキャンセル期間Tに対応する音声データが記録媒体１３に記録されるという事態は生じない。
バッファメモリ７に残っている音声データを記録媒体１３に送らずにファイルをクローズすることによって、既に記録媒体１３に記録された操作ノイズを含む音声データの書き換えを行う必要もなく、操作ノイズ部分を含む音声データを廃棄することが可能になっている。
【００５２】
他方、録音装置１は、上述した通りの構成であって、一つのマイクロホンで済ますことが可能であって、部品点数が特別に多くなることはなく、構成も大掛かりなものではなく、
よって、製造コストを低く抑えることが可能であり、又、録音が対象音声の指向性に左右されることがないという効果が得られている。
【図面の簡単な説明】
【００５３】
【図１】この発明ついて、記録媒体が接続された際の最適な形態の構成を説明する構成ブロック図である。
【図２】図１に示す形態において、マイクロホンに音声が入力されて音声データに変換され、マイクロホンからＤＳＰまでの音声データの長さ、記録媒体に記録される音声データの長さ及びスピーカから出力される再生音声に係る音声データの長さの関係を示す関係説明図である。
【図３】図１に示す形態において、録音の停止時に、バッファメモリがバッファのある場合とない場合における音声データの尾部部分の記録の仕方を説明する構成説明図である。
【符号の説明】
【００５４】
１        ：録音装置
２        ：マイクロホン
３，９    ：増幅手段
４        ：Ａ／Ｄ変換器
５        ：デジタル信号プロセッサ（ＤＳＰ）
６        ：制御手段
７        ：バッファメモリ
８        ：Ｄ／Ａ変換器
１０      ：操作部
１２      ：表示部
１３      ：記録媒体
【図１】
2007322899.tif 000003
【図２】
2007322899.tif 000004
【図３】
2007322899.tif 000005